(57)【要約】【課題】  近視野光プローブを持つスライダーを使用して近視野光と記録媒体との相互作用によって、高密度な記録媒体に対して高速で信頼性の高い情報の記録および読取を実現させるための情報記録／読取装置を提供することを目的としている。【解決手段】  近視野光プローブを持つスライダー１を記録媒体３に対して近接させ、さらに発光素子２と微小開口７との距離も短くし、圧電素子によって記録媒体３からの微小開口の突出量を制御することによって、プローブにおける光強度あるいは光検出部における光強度を上げ、記録媒体３との相互作用を増加する。このことにより高感度で正確な情報記録及び情報読取装置を実現する。【選択図】      図４
2007273086.tif 000002
【特許請求の範囲】
【請求項１】
負荷加重を与えるサスペンションアームにより支持されると共に記録媒体との相対運動により浮上力を得、前記負荷加重と前記浮上力との均衡により記録媒体との間に隙間をつくるスライダーと、
前記スライダーを貫通し頂部が前記スライダー底面における微小開口となるように形成された少なくとも１つの逆錐状の穴と、
前記逆錐状の穴の底部に発光素子あるいは受光素子とを備え、
前記微小開口と前記発光素子あるいは受光素子との距離を前記スライダーの厚みよりも短くしたことを特徴とする近視野光学ヘッド。
【発明の詳細な説明】
【技術分野】
【０００１】
この発明は、近視野光学ヘッドに関し、より詳しくは、近視野顕微鏡技術をハードディスクなどに代表される記録装置のヘッドに適用した近視野光学ヘッドに関する。
【背景技術】
【０００２】
近視野光を利用する光プローブを備えた近視野顕微鏡では、光の回折限界以上の高分解能にて試料を観測することができる。このような近視野顕微鏡では、当該光プローブの試料対向端部として、先鋭化した光ファイバー先端に設けた微小開口や異方性エッチングを施して形成されたシリコン基板上のチップに設けた微小開口を用いたり、光ファイバーの先鋭化された先端や当該チップによる微小突起を用いている。
【０００３】
一方、このような観測原理を応用した、例えば（E. Betzig et al., Science 257,189(1992)）に開示されているような近視野光学メモリも提案されている。
このような応用例においては、記録または読取ヘッドに形成される微小開口または微小突起を記録媒体表面に伝搬光である照射光の波長以下に近接または当接させる必要がある。
【０００４】
ヘッドと記録媒体とを近接させる機構として提案されているものは例えば、（第４４回応用物理学関係連合講演会講演予稿集２８ｐ−ＺＧ−３）に示されているように、シリコン基板に異方性エッチングにより微小な開口を形成したヘッドを、ハードディスクドライブで用いられているフライングヘッドのように、記録媒体を回転させることによりヘッドと記録媒体間に押し込まれる空気の膜で浮上させ、ヘッドと記録媒体とを近接させる。
【発明の開示】
【発明が解決しようとする課題】
【０００５】
しかしながら、上記一般的なフライングヘッドシステムでは、ヘッドと記録媒体間に押し込まれる空気の膜が厚く、ヘッド底面と記録媒体表面間の距離が数十〜数百ナノメートルであり、近視野光を用いた記録／読取を高分解能かつ効率良く実現するには大き過ぎる距離となっている。この場合、近視野光の強度は微小開口から離れるほど指数関数的に急激に減少することから、ヘッドと記録媒体が離れているため近視野光強度が小さく、十分な信号強度が得られない、さらに高い分解能の実現も困難である、という問題点があった。
【０００６】
また、ヘッド上面に置かれた発光素子あるいは受光素子とヘッド底面の微小開口との距離はスライダーの厚みと等しくなっており、発光素子を用いた場合には微小開口を照射する光強度はこの距離の２乗に比例して減衰するため、十分な信号強度が得られないという問題点があり、受光素子を用いた場合には受光部を大面積にしなければ十分な信号強度が得られないという問題点があった。
【０００７】
また、ヘッドの休止中にはスライダー表面が記録媒体に接触しているため、記録媒体表面の吸着水によってスライダーと記録媒体の吸着が強くなり、ヘッドの運転開始時にスライダー及び記録媒体を損傷するという問題点があった。従来はこの問題点を回避するためにスライダーを記録媒体に対して垂直方向に移動する機構が必要となり、ヘッドの小型化の障害になるという問題点があった。
【０００８】
また、ヘッドの浮上時にはスライダーが記録媒体表面に対して傾いた構造を持っているが、このため微小開口が記録媒体表面に対して傾いて配置されることになり、微小開口の一部が記録媒体から離れてしまうことになる。近視野光強度は微小開口と記録媒体の距離に対して指数関数的に減衰することから、微小開口のうち記録媒体から離れている部分は記録媒体と十分な相互作用を持てなくなり、十分な信号強度が得られないという問題点があった。
【０００９】
そこで、この発明は、上記に鑑みてなされたものであって、簡単な構造でしかも記録媒体とヘッドとの距離を小さくし、この記録媒体とヘッドとの距離を制御し、運転開始時及び停止時のスライダーと記録媒体の接触面積を小さくし、運転休止中はプローブと記録媒体が接触しないことでプローブおよび記録媒体の損傷を防止する高感度高分解能近視野光学ヘッドを提供することを目的とする。
【課題を解決するための手段】
【００１０】
上記の目的を達成するために、本発明に係る近視野光学ヘッドは、負荷加重を与えるサスペンションアームにより支持されると共に記録媒体との相対運動により浮上力を得、前記負荷加重と前記浮上力との均衡により記録媒体との間に隙間をつくるスライダーと、前記スライダー底面に形成され、近視野光を発生させる、あるいは前記記録媒体表面に発生した近視野光を伝播光に変換させるプローブとを備え、前記スライダーが前記記録媒体表面を走査するときに、前記近視野光を介して前記記録媒体と前記プローブが相互作用することによって情報の記録および再生を行う近視野光学ヘッドにおいて、前記プローブが前記スライダー底面から突出していることを特徴としている。
【００１１】
よって、スライダーと記録媒体との距離が数十〜数百ナノメートルであっても、プローブと記録媒体との距離は数〜数十ナノメートルと小さくすることが可能となり、それによって近視野光と記録媒体との相互作用を増大させることで、高感度高密度の記録が可能となり、また、ヘッドの運転開始時および停止時にはスライダー底面と記録媒体との接触面積が小さいため接触による損傷を防止できる。
【００１２】
また、本発明に係る近視野光学ヘッドは前記最初の近視野光学ヘッドにおいて、前記プローブは微小開口であることを特徴としている。
よって、前記最初の効果の上に、記録媒体とプローブの相互作用が主に近視野光を主成分とした光によって起こるようにすることができ、高いＳ／Ｎ比が得られる。
【００１３】
また、本発明に係る近視野光学ヘッドは前記最初の近視野光学ヘッドにおいて、前記プローブは微小突起であることを特徴としている。
よって、前記最初の効果の上に、プローブとして内部構造を持たない単純な突起を形成すれば良いことから、プローブ作成がより容易になり、低コストで安定的に作成できる。
【００１４】
また、本発明に係る近視野光学ヘッドは前記いずれかの近視野光学ヘッドにおいて、前記プローブを、前記情報記録あるいは再生時以外は、前記スライダー底面あるいは前記スライダー内部に収納しておき、前記情報記録あるいは再生時に、前記プローブを、前記スライダー底面から所定の量あるいは方向に突出させる機構を備えていることを特徴としている。
【００１５】
よって、前記いずれかの効果の上に、ヘッドの休止中と運転開始／停止時のそれぞれのモードにおいてスライダー底面と記録媒体表面の損傷を防止することができる。また、プローブを記録媒体表面に対して平行に配置することによって高感度ヘッドが実現される。
また、本発明に係る近視野光学ヘッドは前記いずれかの近視野光学ヘッドにおいて、前記プローブは前記スライダー底面に複数個形成され、前記複数のプローブの前記突出量あるいは突出方向あるいはその両者が、前記プローブのおのおのに対して個別に設定されていることを特徴としている。
【００１６】
よって、前記いずれかの効果の上に、おのおののプローブごとに感度を設定することが可能となる。また、一つのプローブをトラッキングに利用したり、高速再生に利用したりすることができる。
また、本発明に係る近視野光学ヘッドは前記いずれかの近視野光学ヘッドにおいて、前記プローブの前記突出量あるいは突出方向あるいはその両者の制御と、前記スライダーの前記記録媒体上走査を同時に行う機構を備えていることを特徴としている。
【００１７】
よって、前記いずれかの効果の上に、データの記録／再生と同時に感度、分解能などの制御が可能となる。また、記録媒体表面に凹凸がある場合でも記録／再生が可能なので、高密度化が可能となる。
また、本発明に係る近視野光学ヘッドは、負荷加重を与えるサスペンションアームにより支持されると共に記録媒体との相対運動により浮上力を得、前記負荷加重と前記浮上力との均衡により記録媒体との間に隙間をつくるスライダーと、当該スライダーを貫通し頂部が前記スライダー底面における微小開口となるように形成された少なくとも１つの逆錐状の穴と、当該逆錐状の穴の底部に発光素子あるいは受光素子とを備え、前記微小開口と前記発光素子あるいは受光素子との距離を前記スライダーの厚みよりも短くしたことを特徴とする。
【００１８】
よって、スライダーの厚みが数百ミクロンであっても、微小開口と発光素子あるいは受光素子との距離を数十ミクロン以下にすることができ、微小開口での光強度を大きくすることが可能であり、それによって高感度ヘッドが実現される。
【発明の効果】
【００１９】
この発明の近視野光学ヘッドによれば、負荷加重を与えるサスペンションアームにより支持されると共に記録媒体との相対運動により浮上力を得、前記負荷加重と前記浮上力との均衡により記録媒体との間に隙間をつくるスライダーと、前記スライダー底面に形成され、近視野光を発生させる、あるいは前記記録媒体表面に発生した近視野光を伝播光に変換させるプローブとを備え、前記スライダーが前記記録媒体表面を走査するときに、前記近視野光を介して前記記録媒体と前記プローブが相互作用することによって情報の記録および再生を行う近視野光学ヘッドにおいて、前記プローブが前記スライダー底面から突出していることを特徴としているので、スライダーと記録媒体との距離が数十〜数百ナノメートルであっても、プローブと記録媒体との距離は数〜数十ナノメートルと小さくすることが可能となり、それによって近視野光と記録媒体との相互作用を増大させることで、高感度高密度の記録が可能となり、また、ヘッドの運転開始時および停止時にはスライダー底面と記録媒体との接触面積が小さいた
め接触による損傷を防止できる。
【００２０】
また、本発明の近視野光学ヘッドによれば、前記最初の近視野光学ヘッドにおいて、前記プローブは微小開口であることを特徴としているので、前記最初の効果の上に、記録媒体とプローブの相互作用が主に近視野光を主成分とした光によって起こるようにすることができ、高いＳ／Ｎ比が得られる。
また、本発明の近視野光学ヘッドによれば、前記最初の近視野光学ヘッドにおいて、前記プローブは微小突起であることを特徴としているので、前記最初の効果の上に、プローブとして内部構造を持たない単純な突起を形成すれば良いことから、プローブ作成がより容易になり、低コストで安定的に作成できる。
【００２１】
また、本発明の近視野光学ヘッドによれば、前記いずれかの近視野光学ヘッドにおいて、前記プローブを、前記情報記録あるいは再生時以外は、前記スライダー底面あるいは前記スライダー内部に収納しておき、前記情報記録あるいは再生時に、前記プローブを、前記スライダー底面から所定の量あるいは方向に突出させる機構を備えていることを特徴としているので、前記いずれかの効果の上に、ヘッドの休止中と運転開始／停止時のそれぞれのモードにおいてスライダー底面と記録媒体表面の損傷を防止することができる。また、プローブを記録媒体表面に対して平行に配置することによって高感度ヘッドが実現される。
【００２２】
また、本発明の近視野光学ヘッドによれば、前記いずれかの近視野光学ヘッドにおいて、前記プローブは前記スライダー底面に複数個形成され、前記複数のプローブの前記突出量あるいは突出方向あるいはその両者が、前記プローブのおのおのに対して個別に設定されていることを特徴としているので、前記いずれかの効果の上に、おのおののプローブごとに感度を設定することが可能となる。また、一つのプローブをトラッキングに利用したり、高速再生に利用したりすることができる。
【００２３】
また、本発明の近視野光学ヘッドによれば、前記いずれかの近視野光学ヘッドにおいて、前記プローブの前記突出量あるいは突出方向あるいはその両者の制御と、前記スライダーの前記記録媒体上走査を同時に行う機構を備えていることを特徴としているので、前記いずれかの効果の上に、データの記録／再生と同時に感度、分解能などの制御が可能となる。また、記録媒体表面に凹凸がある場合でも記録／再生が可能なので、高密度化が可能となる。
【００２４】
また、本発明の近視野光学ヘッドによれば、本発明に係る近視野光学ヘッドは負荷加重を与えるサスペンションアームにより支持されると共に記録媒体との相対運動により浮上力を得、前記負荷加重と前記浮上力との均衡により記録媒体との間に隙間をつくるスライダーと、当該スライダーを貫通し頂部が前記スライダー底面における微小開口となるように形成された少なくとも１つの逆錐状の穴と、当該逆錐状の穴の底部に発光素子あるいは受光素子とを備え、前記微小開口と前記発光素子あるいは受光素子との距離を前記スライダーの厚みよりも短くしたことを特徴とするので、スライダーの厚みが数百ミクロンであっても、微小開口と発光素子あるいは受光素子との距離を数十ミクロン以下にすることができ、微小開口での光強度を大きくすることが可能であり、それによって高感度ヘッドが実現される。
【発明を実施するための最良の形態】
【００２５】
以下、この発明につき図面を参照しつつ詳細に説明する。なお、この実施の形態によりこの発明が限定されるものではない。
（実施の形態１）
図７は本発明の実施の形態１に係る近視野光学ヘッドを用いた情報記録／再生装置の構成を示す。この情報再生装置20は、レーザ発振器21と、レーザ光の偏光方向を制御する波長板22と23、前記レーザ光を伝送する光導波路24、微小開口を持つ光ヘッド１、光ヘッド駆動アクチュエータ30、近視野光７と記録媒体33の相互作用によって発生した散乱光を集光するレンズ29、散乱光を受光する受光素子25、出力信号処理回路26、制御回路27、記録媒体33の位置を制御する記録媒体駆動アクチュエータ34を備えている。レーザ発振器21から発生した光は波長板22,23によって偏光方向を制御され、光導波路24を介して光ヘッド１に導かれる。図１で後述するように光ヘッドの底面において発生した近視野光７は記録媒体33と相互作用の結果散乱光が発生する。図７においては散乱光が記録媒体から上面に反射したものを検出する構造を示したが、記録媒体を透過する構造にすることも容易にできる。散乱光は集光レンズ29によって集光され、受光素子25で電気信号に変換される。この信号は出力信号処理回路26に送られ、信号成分の抽出などの処理を行った後、制御回路27に送られる。制御回路27は受け取った信号をもとにデータ出力28を生成し、光ヘッド駆動アクチュエータ30と、記録媒体駆動アクチュエータ34に制御用信号を送る。
【００２６】
図１は、この発明の実施の形態１による近視野光学ヘッドを示す概略構成図である。より詳しくは、記録媒体の断面構造とともに当該記録媒体にアクセスする際の姿勢を示すものである。スライダー１は、サスペンションアーム（図示省略）により支持される。これらサスペンションアームとスライダー１とによって浮上ヘッド機構が構成される。サスペンションアームは、ボイスコイルモータ（図示省略）を駆動源とし揺動軸を中心に揺動する。スライダー１の走査方位には、テーパ１ａが設けてある。このテーパ１ａとスライダー底面１ｂおよび記録媒体３の表面とにより、くさび膜形状の空気流路１ｃを形成する。スライダー１には、サスペンションアームおよびジンバルバネにより、記録媒体３側への負荷加重が与えられている。スライダー１は、シーク制御およびフォローイング制御により記録媒体３のトラック上に位置決めされている。スライダー１には逆錐状の穴が光の通路５となるように開けられている。本実施の形態においては光の通路５は逆錐状になっているが、直方体あるいは円柱状になっていても良い。光の通路５の先端はスライダー１の底面における微小開口７となり、反対側の先端はスライダー１の上面に接着された発光素子２によって覆われている。記録媒体３上に単位データを収納する記憶領域４が形成されている。スライダー底面のうち微小開口７の近傍部分６がスライダー１の底面から記録媒体３の方向に突出している。このため、スライダー底面１ｂと記録媒体３表面との距離ｈに比べ、微小開口７と記録媒体３表面との距離ｈ'のほうが小さくなっている。このような構造を持つスライダーは異方性エッチングなどの半導体微細加工技術により作成される。発光素子２によって発生した光は光の通路５を通って微小開口７に導かれる。ここで微小開口７は光の波長よりも小さいため、微小開口７の記録媒体３側には近視野光を主成分とする光場が形成される。この近視野光と記憶領域４との相互作用によりデータの記録／読取を行う。スライダー１の底面と記録媒体３の表面との距離ｈは典型的には数十から数百ナノメートルであり、近視野光を十分な強度で記憶領域４と相互作用させることは困難であるが、微小開口７の近傍部分６がスライダー底面の他の部分よりも突出しているため、微小開口７は記録媒体３の表面に近接している。近視野光の強度は微小開口７からの距離に対して指数関数的に減衰するため、微小開口７を記憶領域４に可能なかぎり近接させることが重要であるが、本実施例の構成にすることにより、微小開口７を記録媒体３の表面に近接させることができ、十分な強度の近視野光相互作用を起こさせることが可能となり、高感度の光ヘッドが実現された。また、微小開口７が記録媒体３の表面に近接しているため、記録媒体３表面の記憶領域４を小面積にすることができ、高分解能の光ヘッドが実現された。また、スライダー１と記録媒体３表面が微小開口７の近傍部分６においてのみ接触した構造になっているため、吸着水などによるスライダー１と記録媒体３との吸着力が弱くなり、ヘッドの運転開始時及び停止時にスライダー１と記録媒体３に機械的損傷が起きにくくなった。
【００２７】
同様の効果は発光素子２に代えて受光素子を用いた場合においても得られた。微小開口７が記録媒体３に近接しているため、十分な強度の近視野光相互作用を起こさせることが可能となり、散乱された近視野光が伝播光となって受光素子に高い強度で到達する。これにより高感度高分解能の光ヘッドが実現された。
（実施の形態２）
図２は、本発明の実施の形態２による近視野光学ヘッドを示す概略構成図である。動作機構は実施の形態１と同一であるので説明は省略する。本実施の形態においては発光素子２を接着するスライダー１の上面が他の部分に比べて掘り下げられた構造になっている。このような構造を持つスライダーは異方性エッチングなどの半導体製造技術によって作製される。従来の構造では発光素子２からの光はスライダー１の上面から微小開口７までｄ1の距離を進まなければならないが、本実施例においてはｄ2の距離を進めばよい。微小開口７における光強度は発光素子２から微小開口７までの距離の２乗に比例して減衰するため、発光素子２と微小開口７の距離は可能なかぎり小さくすることが重要であるが、本実施例には発光素子２が微小開口７に近づいた構成になっており、微小開口７での入力光強度を向上させることができた。データの記録／読取を高感度で行うためには十分な強度の近視野光を発生させることが重要であり、それを実現する方法のひとつは微小開口７での光強度を上げることである。本実施例でこれが実現された。同様の効果は発光素子２に代えて受光素子を用いても得られた。受光素子を接着するスライダー１の上面が他の部分に比べて掘り下げられた構造になっているため、受光素子は微小開口７に近づいた構成になっており、小面積の受光部で十分な信号強度が得られるため、高分解能の光ヘッドが実現された。
【００２８】
（実施の形態３）
図３は、本発明の実施の形態３による近視野光学ヘッドを示す概略構成図である。実施の形態１との違いは発光素子２を接着するスライダー１の上面が他の部分に比べて掘り下げられた構造になっている点である。その他の構造および製造方法は実施の形態１と同様であり、説明を省略する。実施の形態１では発光素子２からの光はスライダー１の上面から微小開口７までｄ1の距離を進まなければならないが、本実施例においてはｄ2の距離を進めばよい。実施の形態２と同様に微小開口７での入力光強度を向上させることができ、さらにスライダー底面のうち微小開口７の近傍部分６が記録媒体方向に突出していることによって、微小開口７を記録媒体３に近接させることが可能となった。本実施例においては、高感度で高密度なデータの記録／読取を実現するために近視野光が到達しなければならない距離が、従来のｈではなくそれよりも短いｈ'であるため、十分な強度の近視野光相互作用が起こされ、高感度で高密度なデータの記録／読取が実現された。また、ヘッドの運転休止時においては、スライダー１は記録媒体３表面か
ら浮上せず記録媒体３表面に接触しているが、スライダー１と記録媒体３表面が微小開口７の近傍部分６においてのみ接触した構造になっているため、吸着水などによるスライダー１と記録媒体３との吸着力が弱くなり、ヘッドの運転開始時及び停止時にスライダー１と記録媒体３に機械的損傷が起きにくくなった。実施の形態１,２および３と同様に、発光素子２のかわりに受光素子を用いても同様の効果が得られた。
【００２９】
（実施の形態４）
図４は、本発明の実施の形態４による近視野光学ヘッドを示す概略構成図である。実施の形態３との違いは微小開口部７が圧電素子８によってスライダー１から突出する構造になっている点である。その他の構造および製造方法は実施の形態３と同様であり、説明を省略する。図４（ｂ）はヘッドの上面図で、圧電素子８は微小開口部７の両側に接着されている。図４（ｃ）に示すように、圧電素子８に電位を印加することによって体積変化を起こさせ、スライダーの微小開口部７の近傍部分６を記録媒体３方向に突出させる。圧電素子８に印加する電位を制御することによって、微小開口部７をスライダー１底面に収納あるいはスライダー１底面から突出させることができる。
【００３０】
ヘッドの休止中には微小開口部７をスライダー１底面に収納しておくことによって、スライダー１と記録媒体３の密着性を上げ、外部振動による損傷を防止する。ヘッドの運転開始時および停止時には微小開口部７をスライダー１底面より突出させ、スライダー１と記録媒体３の密着性を下げ、抵抗の小さい状態での運転開始および停止を行う。このような機構にすることによって、本実施例においてはスライダー１を記録媒体３から垂直方向に移動させる機構が不必要になった。また、ヘッドの運転中にはスライダー１の微小開口部７は記録媒体３方向に突出していることによって、微小開口７を記録媒体３に近接させることが可能となった。これにより、高感度で高密度なデータの記録／読取を実現するために近視野光が到達しなければならない距離が、従来のｈではなくそれよりも短いｈ'であるため、十分な強度の近視野光相互作用が起こされ、高感度で高密度なデータの記録／読取が実現された。同様の効果は発光素子２に代えて受光素子を用いても得られた。
【００３１】
（実施の形態５）
図５は、本発明の実施の形態５による近視野光学ヘッドを示す概略構成図である。スライダー１の底面が記録媒体３の表面に対して傾いた配置になっている点、および圧電素子８と８'の体積変化量が異なっている点以外は実施の形態４と同様であり、説明を省略する。本実施の形態は実施の形態４の持つ効果に加えて、圧電素子８と８'に対して異なる印加電圧をかけることによって、スライダー１の記録媒体３に対する傾きを補正し、微小開口７が記録媒体３に対して平行に配置されるように制御することが可能となった。近視野光は微小開口７からの距離に対し指数関数的に減衰するため、微小開口７を記録媒体３に対して平行に配置することで、微小開口７全体に均一な強度で近視野光を発生させることが実現した。これにより本実施の形態においては実施の形態４が持つ効果を実現したが、それ以外の効果として微小開口７の全域が近視野光発生源となり、十分な強度の近視野光相互作用が得られた。
【００３２】
（実施の形態６）
図６は、本発明の実施の形態６による近視野光学ヘッドを示す概略構成図である。複数個の微小開口11,12部がスライダー１底面に形成され、それぞれが圧電素子８,８',８'',８'''によって、記録媒体３方向に突出する。その他の構造と製造方法は実施の形態４と同様であり、説明を省略する。図６（ｂ）はヘッドの上面図で、圧電素子８,８',８'',８'''は微小開口11,12の両側に接着されている。圧電素子８,８'に印加する電位より圧電素子８'',８'''に印加する電位を大きくすることによって、ｈ''がｈ'より小さくなり、スライダー底面のうち微小開口の近傍部分１０のほうが９よりも記録媒体３表面に近接する。この構成により、本実施の形態は実施の形態４の持つ効果に加えて、微小開口１２は１１より高感度での相互作用を起こす。微小開口１２をデータの記録／再生に使用し、微小開口１１をトラッキングに使用することが可能となった。また、微小開口１１を高速で粗い記録／再生に使用し、微小開口１２を高密度記録／再生あるいは再生情報のヴェリファイに使用するなど、多種類の応用が可能である。
【００３３】
（実施の形態７）
実施の形態４、５および６において、圧電素子８,８',８'',８'''に印加する電位を高速に変化させることにより、記録／読取と同時に微小開口７部をスライダー１平面から突出あるいはスライダー１平面へ収納させることができる。これにより、本実施の形態においては実施の形態４、５および６がもつ効果に加えて、記録媒体表面がランド・グルーブ記録方式のように凹凸がある場合でも、ランドだけでなくグルーブに対してもアクセスできるため、高密度な記録／再生が可能となった。
【００３４】
（実施の形態８）
図８は、本発明の実施の形態８に係る情報記録／再生装置の概略構成を示すブロック図である。図７との違いは近視野光ヘッド２３１として先端に図７のような微小開口ではなく、１００ｎｍ程度の大きさの先鋭な突起を持つプローブを用いた点と、レーザー２０１からの入射光を記録媒体２０６の下方から入射し、全反射によって近視野光２０５を記録媒体２０６表面に発生させている点である。他は図７と同じであるので、説明を省略する。入射光は光ファイバ（図示略）などによって記録媒体２０６の側面に導入され、記録媒体２０６中を全反射によって伝播する。記録媒体２０６の表面には内部の全反射のために近視野光２０５が発生している。近視野光２０５は記録媒体２０６の表面の光学特性すなわちデータマークの有無によってその強度分布が異なる。この近視野光２０５が近視野光プローブ２３１によって散乱されて散乱光２０８となり、受光素子２０４で検出される。検出された信号は信号処理回路２１４に送られ、信号処理回路２１４からは出力信号２１５と、制御回路２１２に送られる信号が出力される。制御回路
２１２はアクチュエータ２０７、２１１に対する信号を出し、それによって記録媒体２０６のｚ方向位置を粗動機構２１０と微動機構２０９が制御する。
【００３５】
図９は、本実施の形態における近視野光学ヘッドを示す。図１との違いはプローブとして微小開口ではなく、微小突起３０１を用いている点である。入射光２０６と記憶領域４との相互作用によって発生した近視野光２０５は微小突起３０１によって散乱光２０８に変換される。散乱光２０８は図８に示すように記録媒体２０６の上方向に向かうものを検出しても良いし、図９に示すように記録媒体２０６内部を透過したものを検出することも可能である。近視野光２０５は記録媒体表面から離れるにつれて指数関数的に減衰するため、微小突起３０１はできるだけ記録媒体表面に近接させる必要があるが、本実施の形態においては微小突起部がスライダー底面から記録媒体方向に突出した構造をとっているために、より近接した形で近視野光と相互作用させることが可能である。これにより高感度な近視野光学ヘッドが実現された。また、実施の形態４のように微小突起部を上下に移動する機構と組み合わせることによって微小突起部をヘッド休止中に損傷から保護することもできる。
【００３６】
（実施の形態９）
図１０は、本発明の実施の形態９による近視野光学ヘッドを示す概略構成図である。図４との違いは図１０において開口部がスライダー底面よりも上側に陥没した位置にある点である。その他の構造および動作機構については実施の形態４と同一であるので説明を略す。ヘッドの休止中には開口部はスライダー底面よりも上にあるため、記録媒体３と接触することが無く、開口部の損傷を防止することができた。同様の構造は実施の形態８のような微小突起からなるプローブにおいても実現することができ、同様の効果を奏する。
【図面の簡単な説明】
【００３７】
【図１】この発明の実施の形態１による近視野光学ヘッドを示す概略構成図である。
【図２】この発明の実施の形態２による近視野光学ヘッドを示す概略構成図である。
【図３】この発明の実施の形態３による近視野光学ヘッドを示す概略構成図である。
【図４】この発明の実施の形態４による近視野光学ヘッドを示す概略構成図である。
【図５】この発明の実施の形態５による近視野光学ヘッドを示す概略構成図である。
【図６】この発明の実施の形態６による近視野光学ヘッドを示す概略構成図である。
【図７】この発明の実施の形態１に係る近視野光学ヘッドを用いた情報再生装置の構成図である。
【図８】この発明の実施の形態８に係る近視野光学ヘッドを用いた情報再生装置の概略構成ブロック図である。
【図９】この発明の実施の形態８による近視野光学ヘッドを示す概略構成図である。
【図１０】この発明の実施の形態９による近視野光学ヘッドを示す概略構成図である。
【符号の説明】
【００３８】
１    スライダー
１ａ  テーパ
１ｂ  スライダー底面
１ｃ  空気流路
２    発光素子あるいは受光素子
３    記録媒体
４    記憶領域
５    光の通路
６    スライダー底面のうち微小開口の近傍部分
７    微小開口
８,8',8'',8'''    圧電素子
９    スライダー底面のうち微小開口の近傍部分
１０    スライダー底面のうち微小開口の近傍部分
１１    微小開口
１２    微小開口
２０    情報再生装置
２１    レーザ発振器
２２、２３    波長板
２４    光導波路
２５    受光素子
２６    出力信号処理回路
２７    制御回路
２８    データ出力
２９    レンズ
３０    光ヘッド駆動アクチュエータ
３３    記録媒体
３４    記録媒体駆動アクチュエータ
２０２    レーザ
２０４    受光素子
２０５    近視野光
２０６    情報記録媒体
２０７    アクチュエータ
２０８    散乱光
２０９    微動機構
２１０    粗動機構
２１１    アクチュエータ
２１２    制御回路
２１３    支持体
２１４    信号処理回路
２１５    出力信号
２３１    近視野光ヘッド
３０１    微小突起
【図１】
2007273086.tif 000003
【図２】
2007273086.tif 000004
【図３】
2007273086.tif 000005
【図４】
2007273086.tif 000006
【図５】
2007273086.tif 000007
【図６】
2007273086.tif 000008
【図７】
2007273086.tif 000009
【図８】
2007273086.tif 000010
【図９】
2007273086.tif 000011
【図１０】
2007273086.tif 000012